(57)【要約】【課題】被調理物である米と水の温度を高精度に検知して、炊飯性能を向上させた電磁誘導加熱式の炊飯器を提供する。【解決手段】熱伝導率の高い材料と磁性材料とを有するクラッド材で形成した被調理物を入れる鍋１と、前記鍋１を着脱自在に収納する保護枠５と、前記鍋１の外周囲に配置した加熱コイル６と、前記加熱コイル６に高周波電流を流して前記鍋を電磁誘導作用により発熱させるインバータと、前記鍋１の温度を検知する赤外線センサ８と、前記赤外線センサ８が検出した温度に基づき前記加熱コイル６による前記鍋の加熱量及び一連の炊飯行程を制御する制御手段とを備え、前記赤外線センサ８に赤外線を放射する前記鍋１の視野部１ｃは微細な突起を設けて外乱光を拡散するようにした。【選択図】図２
2010136796.tif 000002
【特許請求の範囲】
【請求項１】
熱伝導率の高い材料と磁性材料とを有するクラッド材で形成した被調理物を入れる鍋と、前記鍋を着脱自在に収納する保護枠と、前記鍋の開口部を覆う蓋と、前記鍋の外周囲に配置した加熱コイルと、前記加熱コイルに高周波電流を流して前記鍋を電磁誘導作用により発熱させるインバータと、前記鍋の温度を検知する赤外線センサと、前記赤外線センサが検出した温度に基づき前記加熱コイルによる前記鍋の加熱量及び一連の炊飯行程を制御する制御手段とを備え、前記赤外線センサに赤外線を放射する前記鍋の視野部は微細な突起を設けて外乱光を拡散するようにした炊飯器。
【請求項２】
熱伝導率の高い材料と磁性材料とを有するクラッド材で形成した被調理物を入れる鍋と、前記鍋を着脱自在に収納する保護枠と、前記鍋の開口部を覆う蓋と、前記鍋の外周囲に配置した加熱コイルと、前記加熱コイルに高周波電流を流して前記鍋を電磁誘導作用により発熱させるインバータと、前記鍋の温度を検知する赤外線センサと、前記赤外線センサが検出した温度に基づき前記加熱コイルによる前記鍋の加熱量及び一連の炊飯行程を制御する制御手段とを備え、前記赤外線センサに赤外線を放射する前記鍋の視野部は鍛造加工によりフレネルレンズを形成して赤外線を集光するとした炊飯器。
【請求項３】
赤外線透過材をメッキ加工してフレネルレンズを形成した請求項２に記載の炊飯器。
【請求項４】
赤外線非透過材をメッキ加工してフレネルレンズを形成した請求項２に記載の炊飯器。
【請求項５】
赤外線放射材をメッキ加工してフレネルレンズを形成した請求項２に記載の炊飯器。
【請求項６】
赤外線透過材を印刷加工してフレネルレンズを形成した請求項２に記載の炊飯器。
【請求項７】
赤外線非透過材を印刷加工してフレネルレンズを形成した請求項２に記載の炊飯器。
【請求項８】
赤外線放射材を印刷加工してフレネルレンズを形成した請求項２に記載の炊飯器。
【請求項９】
鍋の視野部を除いた底面及び外周部と、保護枠の鍋と対向する面とには赤外線反射材料をそれぞれコーティングするとともに、前記視野部は鍋の発熱層の段差がなくなるように赤外線透過材料を均一に埋設した請求項１〜８いずれか１項に記載の炊飯器。
【発明の詳細な説明】
【技術分野】
【０００１】
本発明は調理容器を誘導加熱する誘導加熱式の炊飯器に関するものである。
【背景技術】
【０００２】
誘導加熱式の炊飯器は、調理容器である鍋の周囲の外側に加熱コイルを配し、加熱コイルから発生させる高周波磁界を利用して鍋自体を誘導加熱するので、ヒータを用いて加熱する炊飯器に比べてふっくらとしたおいしいご飯が炊けることから、近年、普及が進んでいる。
【０００３】
図５はこのような従来の誘導加熱式の炊飯器を示すもので、本体５１の内部には鍋５２が着脱自在に収納されている。
【０００４】
鍋５２は、ステンレス、鉄などの磁性体からなる発熱層と、アルミニウムなどの熱伝導率の良い材料からなる熱伝導層とのクラッド材によって形成されることが多い。
【０００５】
保護枠５３は、鍋５２の収納部を構成するもので、非金属材料により有底円筒状に形成されており、その外周には鍋５２を誘導加熱する加熱コイル５４が配設されている。
【０００６】
５５は、鍋５２の温度を測定する温度センサで、コンタクト５５ａと、圧縮コイルバネ５５ｂと、センサケース５５ｃで構成している。
【０００７】
アルミニウム製のコンタクト５５ａ内の上部に負特性サーミスタよりなる温度検知素子を嵌着し、前記コンタクト５５ａの上面が鍋５２の外底面に圧接するように、圧縮コイルバネ５５ｃにより常に上方に付勢されている。
【０００８】
５６は加熱コイル５４へ高周波電力を供給し、鍋５２の加熱量を制御する加熱制御部で、加熱コイル５４に高周波電力を供給するために高電圧、大電流を発生させるスイッチング素子や、商用電源を整流する整流ブリッジ素子などのスイッチング素子を備えている。
【０００９】
そのスイッチング素子等で発生する損失熱を冷却ファン５７で冷却するようにしている。また、鍋内の調理物である米と水の温度を温度センサへより良く伝導させるために、温度センサ当接部のみ鍋の肉厚を局所的に薄くしたり、発熱層を取り去り熱伝導層を露出させる方法が知られている（例えば、特許文献１、特許文献２参照）。
【００１０】
また、鍋と温度センサの間に米粒などの異物が挟まって、両者が正しく当接しなくなることで、正しい温度検出が行われなくなることを防止するために、鍋から放射される赤外線を検出する赤外線センサで、非接触で鍋の温度を検出する炊飯器も考案されている（例えば、特許文献３、特許文献４参照）。
【００１１】
図６は、従来の炊飯器の赤外線センサを示すもので、着脱自在な鍋６１を加熱するヒータ６２の中央に通孔６３と、温度検出装置６４が配置されている。
【００１２】
温度検出装置６４は、支持金具６５によって上下方向に進退自在に支持された遮蔽筒体６６と、その下方に配置された赤外線センサ６７及びリミットスイッチ６８を備えている。赤外線センサ６７には赤外線取り込み用の窓６９が設けられている。
【００１３】
ヒータ６２に鍋６１が載置されて、遮蔽筒体６６が下降すると、アーム７０により押釦
７１が押圧されて、リミットスイッチ６８の接点が閉じられ、赤外線センサ６７による鍋６１の温度測定が開始される。
【００１４】
そして、上記赤外線センサ６７の出力値に応じてヒータ６２への供給電力が調節され、炊飯のための温度制御が行われる。
【特許文献１】実公平３−７６５１６号公報
【特許文献２】特開２００５−３０４７０９号公報
【特許文献３】特公平５−７５４０７号公報
【特許文献４】特開平９−１５４７１５号公報
【発明の開示】
【発明が解決しようとする課題】
【００１５】
しかしながら、上記従来の圧縮コイルバネで付勢する温度センサでは、可動部を有しているため、まれに異物が筒体と通孔との間にかみ込むとリミットスイッチが閉じず、温度測定が開始されなかったり、あるいは、ヒータと鍋の間に隙間があき、ヒータの熱が正常に鍋に伝導されない可能性があった。
【００１６】
他方、鍋の発熱層からの輻射熱を受熱する受熱板の裏側で、受熱板の温度を検出することにより、間接的に鍋の温度を検出する輻射式温度センサでは、従来の接触式の温度センサと検知応答性に格段の優劣差があるものではなかった。
【００１７】
また、本体下部などから侵入してくる外乱光（太陽光、オーブントースタ等のヒータ機器が発する遠赤外線など）が偶発ノイズとして、鍋の発熱層からの輻射熱に加算されるため検知精度がばらつくというという課題もあった。
【００１８】
本発明はこのような従来の課題を解消したもので、高精度で早い応答性を有し、炊飯性能及び保温性能を大幅に向上させることを目的とするものである。
【課題を解決するための手段】
【００１９】
上記課題を解決するために、本発明の炊飯器は、被調理物を入れる熱伝導率の高い材料と磁性材料とを有するクラッド材で形成した鍋と、前記鍋を着脱自在に収納する保護枠と、前記鍋の開口部を覆う蓋と、前記鍋の外周囲に配置した加熱コイルと、前記加熱コイルに高周波電流を流して前記鍋を電磁誘導作用により発熱させるインバータと、前記鍋の温度を検知する赤外線センサと、前記赤外線センサが検出した温度に基づき前記加熱コイルによる前記鍋の加熱量及び一連の炊飯行程を制御する制御手段とを備え、前記赤外線センサに赤外線を放射する前記鍋の視野部は微細な突起を設けて、外乱光を拡散するようにしているものである。
【発明の効果】
【００２０】
本発明は、高精度で早い応答性を有し、外乱光の影響も受けない鍋温度の測定ができるため、炊飯性能及び保温性能を大幅に向上させることができる。
【発明を実施するための最良の形態】
【００２１】
第１の発明は、被調理物を入れる熱伝導率の高い材料と磁性材料とを有するクラッド材で形成した鍋と、前記鍋を着脱自在に収納する保護枠と、前記鍋の開口部を覆う蓋と、前記鍋の外周囲に配置した加熱コイルと、前記加熱コイルに高周波電流を流して前記鍋を電磁誘導作用により発熱させるインバータと、前記鍋の温度を検知する赤外線センサと、前記赤外線センサが検出した温度に基づき前記加熱コイルによる前記鍋の加熱量及び一連の炊飯行程を制御する制御手段とを備え、前記赤外線センサに赤外線を放射する前記鍋の視野部は微細な突起を設けて、外乱光を拡散するようにした炊飯器としている。
【００２２】
第２の発明は、被調理物を入れる熱伝導率の高い材料と磁性材料とを有するクラッド材で形成した鍋と、前記鍋を着脱自在に収納する保護枠と、前記鍋の開口部を覆う蓋と、前記鍋の外周囲に配置した加熱コイルと、前記加熱コイルに高周波電流を流して前記鍋を電磁誘導作用により発熱させるインバータと、前記鍋の温度を検知する赤外線センサと、前記赤外線センサが検出した温度に基づき前記加熱コイルによる前記鍋の加熱量及び一連の炊飯行程を制御する制御手段とを備え、前記赤外線センサに赤外線を放射する前記鍋の視野部は鍛造加工によりフレネルレンズを形成して、赤外線を集光することにより、外乱光とのＳ／Ｎ比を上げてその影響を低減ようにした炊飯器としている。
【００２３】
第３の発明は、特に、第２の発明において、赤外線透過材をメッキ加工してフレネルレンズを形成することにより、より安価に製造できる炊飯器としている。
【００２４】
第４の発明は、特に、第２の発明において、赤外線非透過材をメッキ加工してフレネルレンズを形成することにより、より安価に製造できる炊飯器としている。
【００２５】
第５の発明は、特に、第２の発明において、赤外線放射材をメッキ加工してフレネルレンズを形成することにより、より安価に製造できる炊飯器としている。
【００２６】
第６の発明は、特に、第２の発明において、赤外線透過材を印刷加工してフレネルレンズを形成することにより、より安価に製造できる炊飯器としている。
【００２７】
第７の発明は、特に、第２の発明において、赤外線非透過材を印刷加工してフレネルレンズを形成することにより、より安価に製造できる炊飯器としている。
【００２８】
第８の発明は、特に、第２の発明において、赤外線放射材を印刷加工してフレネルレンズを形成することにより、より安価に製造できる炊飯器としている。
【００２９】
第９の発明は、特に、第１〜８のいずれか１つの発明において、鍋の視野部を除いた底面及び外周部と、保護枠の鍋と対向する面とには赤外線反射材料をそれぞれコーティングするとともに、前記視野部は鍋の発熱層の段差がなくなるように赤外線透過材料を均一に埋設したことにより、鍋の視野部から放射される赤外線を効率良く赤外線センサへ導くとともに、外乱光による誤差を低減するようにした炊飯器としている。
【００３０】
以下、本発明の実施の形態について、図面を参照しながら説明する。なお、この実施の形態によって本発明が限定されるものではない。
【００３１】
（実施の形態１）
図１，２は、本発明の実施の形態１を示し、アルミニウムなどの熱伝導率の良い材料からなる熱伝導層１ａに、磁性金属材料からなるフェライト系ステンレス鋼板の発熱層１ｂを圧接加工により張り合わせた、いわゆるクラッド材を型鍛造して鍋状に形成した鍋１と、この鍋１を着脱自在に収納する上面が開口した本体２と、開閉自在に本体２を覆う蓋３と、蓋３の開閉状態を検知する蓋開閉検知手段４と、鍋１の収納部を構成する保護枠５と、鍋１の外周囲に配置した加熱コイル６と、この加熱コイル６に高周波電流を流して鍋１を電磁誘導作用により発熱させるインバータ７を備えている。
【００３２】
また、本体２の下方部には鍋底から放射される赤外線量を保護枠５の検知窓５ａを通して検出し、その温度を測定する赤外線センサ８が、本体２の前上方部には操作キーと表示素子を有する制御基板９がそれぞれ配置してある。
【００３３】
本体２下面には、インバータ７内の発熱素子や、加熱コイル６を冷却する外気を取り入れる冷却孔１０が形成してある。
【００３４】
制御基板９上には炊飯行程を記憶させたマイクロコンピュータを実装し、赤外線センサ８が測定した鍋１の底面温度と、操作キー入力に基づきインバータ７へ制御出力を出力して、加熱コイル６による鍋１０の加熱量及び一連の炊飯行程を制御する。
【００３５】
ここで、赤外線センサ８に赤外線を放射する鍋１中央底面の視野部は、型鍛造前に発熱層となるステンレス鋼板を打ち抜き加工してクラッド材とする、あるいは鍛造時にエンボシング加工により微少なくぼみや突起を形成することにより、冷却孔１０や、本体２の下面を透過してくる外乱光を乱反射させて拡散し、赤外線センサ８への影響を低減させている。
【００３６】
図２において、赤外線センサ８は、防水機能を備えた光学フィルター８ａと、鏡筒８ｂと、赤外線検出素子を収納したセンサケース８ｃと、取付足８ｄと、リード線８ｅで構成している。
【００３７】
なお、インバータ７は、加熱コイル６に周波数２０〜３０ｋＨｚ程度あるいは５０ｋＨｚ以上の高周波電流を供給しており、例えば一石式のインバータ回路で良い。
【００３８】
以上のように構成された炊飯器について、以下その動作、作用を説明する。
【００３９】
米とその米量に対応する水を鍋１に入れて本体２内の保護枠５に収納し、蓋３を閉じる。操作部の炊飯キー（図示せず）を使用者が操作すると、制御基板９上のマイクロコンピュータが、このキー入力を受け、炊飯工程の実行を開始する。
【００４０】
マイクロコンピュータ内のＲＯＭには、浸水、炊き上げ、蒸らし、保温の各工程における鍋１内部の水と米の調節温度の目標値と加熱時間が記憶されている。
【００４１】
この温度目標値と加熱時間、及び、赤外線センサ８の出力する鍋１の視野部の検知温度に基づき、制御基板７を駆動する。
【００４２】
温度目標値より検知温度が低い時は、制御基板７より加熱コイル６へ高周波電流が供給されることにより高周波磁界が発生し、鍋１の発熱層１ｂを通過して渦電流が流れる。
【００４３】
この渦電流と発熱層１ｂの表皮電気抵抗値によるジュール熱で、発熱層１ｂが誘導加熱されて発熱し、その熱が熱伝導層１ａを通して被調理物である米と水へ均一に伝導されることで、効率よく加熱調理される。
【００４４】
炊飯中の鍋１の視野部１ｃはエンボシングにより微細な突起を設けてあるため、外乱光の影響を受けにくく、その検知温度は炊飯初期は内容物である米を含んだ水温に依存することになり、一般的には−５℃〜３０℃である。
【００４５】
また、炊き上げ行程では約１３４℃〜１４５℃で炊飯終了を検知して加熱が停止されるので、その間の最高温度は約１５０℃である。
【００４６】
保温行程では約７０℃〜７３℃に温度調節される。従って、鍋１底面の温度範囲は−５℃〜１５０℃となるため、その視野部１ｃから放射される赤外線の波長はウィーンの変位則及びシュテファン・ボルツマン則より、赤外線の放射エネルギー強度は約２μｍ以上の遠赤外線領域となる。
【００４７】
本実施の形態においては、水薄膜の吸収波長帯域の影響を避けるため、約３．３μｍ〜７μｍの波長の赤外線のみを透過させる光学フィルター８ａを装着している。
【００４８】
ステファン＝ボルツマン（Ｓｔｅｆａｎ−Ｂｏｌｔｚｍａｎｎ）の法則によれば、この光学フィルター８ａを透過した赤外線をセンサケース８ｃに収納した赤外線検出素子で検出した赤外線エネルギー値も、鍋１の視野部１ｃの表面温度の４乗に比例する。
【００４９】
従って、赤外線検出素子で検知した赤外線エネルギー値から、鍋１の視野部１ｃの表面温度を算出することが可能となる。
【００５０】
なお、水（厚膜）では約１．９μｍと約２．９μｍに−ＯＨ基の吸収が現れる。さらに、約７ミクロン以上では、水の分子が共振し選択的に強く吸収されるので、膜厚の厚い水滴が光学フィルター８ａへ付着した場合、赤外線センサ８へ届く前に、鍋の視野部から放射される赤外線の殆どが吸収されてしまう。
【００５１】
他方、視野部１ｃへ付着した膜厚の厚い水滴は、その波長域での水の放射率が約０．９３と高いため、対流・伝導による遅延が生じるが、鍋１の加熱が進むにつれて乾燥して消失するので影響は少ない。
【００５２】
以上のように、本実施の形態においては、赤外線センサ８に赤外線を放射する鍋１の視野部１ｃは、微細な突起を設けて外乱光を拡散するようにしているので、鍋１内に入れた米と水の温度の温度変化を正確に検出することができる。
【００５３】
従って、鍋１の内容物の温度を制御基板７により、約０℃〜１５０℃まで高精度に温度検知して、加熱調理することにより、良食味のご飯を得ることができる。
【００５４】
なお、赤外線エネルギー値と鍋６０の視野部１ｃの表面温度との相関を記述したテーブルデータを、マイクロコンピュータ内のＲＯＭに記憶させておき、このテーブルデータを参照する方法で、鍋１の視野部１ｃの表面温度を求めても良い。
【００５５】
また、赤外線検出素子は約３μｍ〜４．３μｍの帯域で感度を持つサーモパイルや、サーミスタ・ボロメータ（一対のサーミスタ素子の片方にのみ赤外線が受光される構成とした簡易型も含む）、焦電素子、あるいは、ＩｎＳｂ、ＨｇＣｄＴｅ、ＰｂＳ等の半導体化合物による光検出器が適している。
【００５６】
なお、鏡筒８ｂは赤外線検出素子の視野を絞り込み、鍋１の視野部１ｃとの距離を確保するために用いているが、炊飯行程中の赤外線検出素子の温度がその素子の耐熱温度以内であれば、敢えて使用する必要はない。
【００５７】
また、取付足８ｄは本体２への固定機能以外に、冷却ファンの振動や、誘導加熱される鍋１の振動、加熱コイル６の低周波のうなり振動が赤外線検出素子へ伝達されないように防振する機能をも併せて有するものである。
【００５８】
なお、加熱コイル６は保護枠５に固定されていても、一体に埋め込まれていても良いものである。
【００５９】
（実施の形態２）
図３は、実施の形態２を示すもので、図３と同作用をおこなう構成部分には同一符号を付し、その具体的説明は実施の形態１のものを援用する。
【００６０】
図３において、鍋１の視野部１ｃは型鍛造時にフレネルレンズを形成している。
【００６１】
フレネルレンズは、屈折面が連続した球面ではなく、階段状に屈折角の異なったプリズムが同心円状に形成されているもので、赤外線光は、各屈折面で屈折され焦点に向かうため球面レンズと同様な効果を得ることができる。屈折面が非連続であることから、各面の角度は自由に設定できる。
【００６２】
従って、球面収差などを補正して、明るい（Ｆ／¢＝０．６など）、効率のよい短焦点レンズとすることも可能である。このレンズの最大の特徴は、板状であることであり、２ｍｍ程度の薄さとすることが可能である。
【００６３】
この視野部１ｃに形成したフレネルレンズで放射面でする赤外線を集光することにより、本体１下部から侵入する太陽光や調理用の熱機器が発生する遠赤外線などの外乱光による影響を低減している。
【００６４】
以上のように、本実施の形態においては、赤外線を放射する鍋１の視野部１ｃは型鍛造によるフレネルレンズを形成して、放射面で赤外線の放射方向を赤外線センサ８の方向へ集束しているので、外乱光とのＳ／Ｎ比が向上し、鍋１内に入れた米と水の温度の温度変化を正確に検出することができる。
【００６５】
従って、鍋１の内容物の温度を制御基板７により約０℃〜１５０℃まで高精度に温度検知して加熱調理することにより、良食味のご飯を得ることができる。
【００６６】
なお、フレネルレンズはメッキ加工、あるいは印刷加工により形成することも可能である。
【００６７】
その場合、赤外線透過材、赤外線非透過材、赤外線放射材の何れかをメッキ、あるいは印刷加工することで、階段状に屈折角の異なったプリズムを構成すれば良い。
【００６８】
また、その材料は２００℃超での使用に耐える材料なら良く、フッ素樹脂系材料やセラミック系材料がある。
【００６９】
また、セラミックスのナノ多孔体構造およびセラミックス・ポリマー複合化構造等からなるマルチセラミックス膜新断熱材料を用いれば、コストはやや上がるが熱を伝える三要素（格子振動、対流、輻射）のいずれも抑えることができる。
【００７０】
（実施の形態３）
図４は、本発明の実施の形態３を示すもので、図２と同作用をおこなう構成部分には同一符号を付し、その具体的説明は実施の形態１のものを援用する。
【００７１】
すなわち、本実施の形態にあっては、鍋１の視野部１ｃには微細な突起もしくはフレネルレンズ１ｄが形成してある。
【００７２】
そして、この視野部１ｃの微細な突起もしくはフレネルレンズ１ｄと、鍋１の発熱層１ｂとの段差をなくすために均一に赤外線透過材料１ｅが埋められている。
【００７３】
１ｆは鍋１の視野部１ｃを除いた底面及び外周部にコーティングした赤外線反射材料、５ｂは保護枠５の鍋１と対向する面にコーティングした赤外線反射材料である。
【００７４】
以上のように、本実施の形態においては、赤外線を放射する鍋１の視野部１ｃは微細な突起もしくはフレネルレンズ１ｄが形成されており、赤外線センサ８の受光面へ向けて放射線束８ｆを集光することができる。
【００７５】
さらに、鍋１の視野部１ｃを除いた底面及び外周部と、保護枠５の鍋１と対向する面には赤外線反射材料１ｆをコーティングしているので、これらの面からの赤外線放射が抑制される。
【００７６】
従って、鍋１内に入れた米と水の温度の温度変化を正確に検出することができ、良食味のご飯を得ることができる。
【００７７】
また、赤外線透過材料１ｅで均一に埋めることにより、鍋１の視野部１ｃの微細な突起もしくはフレネルレンズ１ｄを保護することが可能となる。
【００７８】
なお、赤外線透過材料１ｅとしては、溶融石英ガラス、ＭｇＦ２（フッ化マグネシウム）、ＬｉＦ（フッ化リチウム）などが使用できる。
【００７９】
また、赤外線反射材料１ｆ、５ｂとしては、セラミック（Ｓｉ系）、マグネシウム合金などが使用できる。
【００８０】
また、鍋１の視野部１ｃを除いた底面及び外周部については、鏡面仕上げ加工により低放射率としても良い。
【産業上の利用可能性】
【００８１】
以上のように、本発明にかかる炊飯器は、機器の設置性、使い勝手、価格を維持しつつ、鍋底面の温度を高精度に検知することができるので、誘導加熱式以外のヒータ式、ガス燃焼式、温風、高温蒸気式の炊飯器の用途にも適用できる。また、業務用炊飯器や炊飯器以外の調理器等の用途にも適用できる。
【図面の簡単な説明】
【００８２】
【図１】本発明の実施の形態１を示す炊飯器の全体断面図
【図２】同炊飯器の要部拡大断面図
【図３】本発明の実施の形態２を示す炊飯器の要部拡大断面図
【図４】本発明の実施の形態３を示す炊飯器の要部拡大断面図
【図５】従来の炊飯器の全体断面図
【図６】他の従来例を示す炊飯器の要部拡大断面図
【符号の説明】
【００８３】
１  鍋
１ｃ  視野部
１ｄ  フレネルレンズ
１ｅ  赤外線透過材料
１ｆ、５ｂ  赤外線反射材料
３  蓋
５  保護枠
６  加熱コイル
８  赤外線センサ
【図６】
2010136796.tif 000003
【図１】
2010136796.tif 000004
【図２】
2010136796.tif 000005
【図３】
2010136796.tif 000006
【図４】
2010136796.tif 000007
【図５】
2010136796.tif 000008